【手続補正書】
【提出日】平成30年7月27日(2018.7.27)
【手続補正１】
【補正対象書類名】特許請求の範囲
【補正対象項目名】全文
【補正方法】変更
【補正の内容】
【特許請求の範囲】
【請求項１】
車両マイレージ情報を取り込むための方法であって、
携帯用電子デバイスの少なくとも１つのセンサによって、運動または位置の少なくとも一方を検出するステップであって、前記少なくとも１つのセンサが、加速度計、ジャイロスコープ、磁力計、または全地球測位（ＧＰＳ）センサを含む、ステップと、
前記少なくとも１つのセンサの出力を通じて、前記携帯用電子デバイスが運動していることを判定するステップと、
ユーザ入力なしで、運転に対応する運動と、非運転活動に対応する運動との間を区別するステップと、
前記運転の開始地点を自動的に追跡するステップと、
前記開始地点から前記運転の１つ以上の行程を経由した前記携帯用電子デバイスの移動を追跡するステップと、
前記運転の停止地点を特定するステップと、
前記運転の目的を自動的に推論するステップであって、前記目的が業務目的および個人目的から選択され、前記推論が１つ以上の以前の運転に関するＧＰＳデータに少なくとも部分的に基づく、ステップと、
前記運転に関連付けられた情報をユーザのアカウントに格納するステップと、
前記携帯用電子デバイスのディスプレイ上に、前記運転のグラフィカル表現を出力するステップと、
を含む、方法。
【請求項２】
請求項１記載の方法において、前記判定するステップ、追跡するステップ、区別するステップ、特定するステップ、推論するステップ、格納するステップ、および出力するステップが、前記ユーザからの入力なしで行われる、方法。
【請求項３】
請求項１または２記載の方法において、前記運転の目的を推論するステップが、更に、前記運転の日付および時刻に少なくとも部分的に基づく、方法。
【請求項４】
請求項１から３の何れか一項記載の方法において、前記運転の目的を推論するステップが、更に、前記運転に関連付けられた時間枠内におけるクレジット・カードを使用した購入からのクレジット・カード情報に少なくとも部分的に基づく、方法。
【請求項５】
請求項１から４の何れか一項記載の方法であって、更に、
前記運転に関する情報を、後続の運転または以前の運転に関する情報と共に集計するステップを含む、方法。
【請求項６】
請求項１から５の何れか一項記載の方法において、前記運転の目的を推論するステップが、更に、Ｂｌｕｅｔｏｏｔｈデバイスから前記携帯用電子デバイスに送信される情報に少なくとも部分的に基づく、方法。
【請求項７】
請求項１から６の何れか一項記載の方法において、前記運転の目的を推論するステップが、更に、前記運転に関連付けられた通行データに少なくとも部分的に基づく、方法。
【請求項８】
請求項１から７の何れか一項記載の方法において、前記運転の目的を推論するステップが、更に、前記開始地点または前記停止地点に関連付けられた駐車情報に少なくとも部分的に基づく、方法。
【請求項９】
請求項１から８の何れか一項記載の方法において、前記運転の目的を推論するステップが、更に、前記ユーザによって設定された好みまたは以前の運転の分類に少なくとも部分的に基づく、方法。
【請求項１０】
請求項１から９の何れか一項記載の方法であって、更に、
前記携帯用電子デバイス上でタッチ入力を受けるステップと、
前記タッチ入力に少なくとも部分的に基づいて、業務目的または個人目的として前記運転を分類するステップと、
を含む、方法。
【請求項１１】
携帯用電子デバイスであって、
１つ以上のプロセッサと、
加速度計、ジャイロスコープ、磁力計、または全地球測位（ＧＰＳ）センサの内少なくとも１つを備えるセンサと、
実行可能命令を格納するコンピュータ記憶媒体であって、前記実行可能命令が前記１つ以上のプロセッサによって実行されると、該１つ以上のプロセッサに、
前記センサの出力を通じて、当該携帯用電子デバイスが運動していることを判定するステップと、
ユーザ入力なしで、運転に対応する運動と、非運転活動に対応する運動との間を区別するステップと、
前記運転の開始地点を自動的に追跡するステップと、
前記開始地点から前記運転の１つ以上の行程を経由した前記携帯用電子デバイスの移動を追跡するステップと、
前記運転の停止地点を特定するステップと、
前記運転の目的を自動的に推論するステップであって、前記目的が業務目的および個人目的から選択され、前記推論が１つ上の以前の運転に対応するＧＰＳデータに少なくとも部分的に基づく、ステップと、
を含む動作を実行させる、コンピュータ記憶媒体と、
を備える、携帯用電子デバイス。
【請求項１２】
請求項１１記載の携帯用電子デバイスにおいて、前記実行可能命令がユーザからの入力なしで実行される、携帯用電子デバイス。
【請求項１３】
請求項１１または１２記載の携帯用電子デバイスにおいて、前記運転の目的を推論するステップが、更に、前記運転の日付および時刻に少なくとも部分的に基づく、携帯用電子デバイス。
【請求項１４】
請求項１１から１３の何れか一項記載の携帯用電子デバイスにおいて、前記運転の目的を推論するステップが、更に、前記運転に関連付けられた時間枠内におけるクレジット・カードを使用した購入からのクレジット・カード情報に少なくとも部分的に基づく、携帯用電子デバイス。
【請求項１５】
請求項１１から１４の何れか一項記載の携帯用電子デバイスにおいて、前記動作が、更に、
前記運転に関する情報を、当該携帯用電子デバイスからリモートのサーバに送信するステップと、
前記運転の目的に関する情報を前記サーバから受信するステップと、
を含む、携帯用電子デバイス。
【請求項１６】
請求項１１から１５の何れか一項記載の携帯用電子デバイスにおいて、前記運転の目的を推論するステップが、更に、Ｂｌｕｅｔｏｏｔｈデバイスから当該携帯用電子デバイスに送信される情報に少なくとも部分的に基づく、携帯用電子デバイス。
【請求項１７】
請求項１１から１６の何れか一項記載の携帯用電子デバイスにおいて、前記運転の目的を推論するステップが、更に、前記運転に関連付けられた通行データまたは駐車情報に少なくとも部分的に基づく、携帯用電子デバイス。
【請求項１８】
請求項１１から１７の何れか一項記載の携帯用電子デバイスにおいて、前記運転の目的を推論するステップが、更に、前記ユーザによって設定された好みまたは以前の運転の分類に少なくとも部分的に基づく、携帯用電子デバイス。
【請求項１９】
請求項１１から１８の何れか一項記載の携帯用電子デバイスにおいて、前記動作が、更に、
前記ユーザからの入力に少なくとも部分的に基づいて、業務目的または個人目的として前記運転を分類するステップを含む、携帯用電子デバイス。
【請求項２０】
命令によって符号化されたコンピュータ可読記憶媒体であって、前記命令が、プロセッサによって実行されると、
携帯用電子デバイスの少なくとも１つのセンサによって、運動または位置の少なくとも一方を検出するステップであって、前記少なくとも１つのセンサが、加速度計、ジャイロスコープ、磁力計、または全地球測位（ＧＰＳ）センサを含む、ステップと、
前記少なくとも１つのセンサの出力を通じて、前記携帯用電子デバイスが運動していることを判定するステップと、
ユーザ入力なしで、運転に対応する運動と、非運転活動に対応する運動との間を区別するステップと、
前記運転の開始地点を自動的に追跡するステップと、
前記開始地点から前記運転の１つ以上の行程を経由した前記携帯用電子デバイスの移動を追跡するステップと、
前記運転の停止地点を特定するステップと、
前記運転の目的を自動的に推論するステップであって、前記目的が業務目的および個人目的から選択され、前記推論が１つ以上の以前の運転に関するＧＰＳデータに少なくとも部分的に基づく、ステップと、
を含む動作を実行する、コンピュータ可読記憶媒体。
【請求項２１】
請求項２０記載のコンピュータ可読記憶媒体において、前記命令がユーザからの入力なしで実行される、コンピュータ可読記憶媒体。
【請求項２２】
請求項２０または２１記載のコンピュータ可読記憶媒体において、前記運転の目的を推論するステップが、更に、前記運転の日付および時刻に少なくとも部分的に基づく、コンピュータ可読記憶媒体。
【請求項２３】
請求項２０から２２の何れか一項記載のコンピュータ可読記憶媒体において、前記運転の目的を推論するステップが、更に、前記運転に関連付けられた時間枠内におけるクレジット・カードを使用した購入からのクレジット・カード情報に少なくとも部分的に基づく、コンピュータ可読記憶媒体。
【請求項２４】
請求項２０から２３の何れか一項記載のコンピュータ可読記憶媒体において、前記動作が、更に、
前記運転に関する情報を、後続の運転または以前の運転に関する情報と共に集計するステップを含む、コンピュータ可読記憶媒体。
【請求項２５】
請求項２０から２４の何れか一項記載のコンピュータ可読記憶媒体において、前記運転の目的を推論するステップが、更に、Ｂｌｕｅｔｏｏｔｈデバイスから前記携帯用電子デバイスに送信される情報に少なくとも部分的に基づく、コンピュータ可読記憶媒体。
【請求項２６】
請求項２０から２５の何れか一項記載のコンピュータ可読記憶媒体において、前記運転の目的を推論するステップが、更に、前記運転に関連付けられた通行データまたは駐車情報に少なくとも部分的に基づく、コンピュータ可読記憶媒体。
【請求項２７】
請求項２０から２６の何れか一項記載のコンピュータ可読記憶媒体において、前記動作が、更に、
前記ユーザからの前記タッチ入力に少なくとも部分的に基づいて、業務目的または個人目的として前記運転を分類するステップを含む、コンピュータ可読記憶媒体。